(57)【要約】入力変数により制御される電源ユニットと、蛍光ランプの所望の電力値を調整する調光手段と、入力変数を開始値から最終値に調整する制御回路とを具え、蛍光ランプの実際の電力値を少なくともほぼ調整電力値に等しくする蛍光ランプ給電用安定器であって、前記制御回路が更に、調整電力値に応じて開始値を決定しうるプロセッサ手段を有している蛍光ランプ給電用安定器。
2004518258.tif 000002
【特許請求の範囲】
【請求項１】
入力変数により制御される電源ユニットと、蛍光ランプの所望の電力値を設定する調光手段と、入力変数を開始値から最終値に調整する制御回路とを具え、蛍光ランプの実際の電力値を少なくともほぼ設定電力値に等しくする蛍光ランプ給電用安定器において、
前記制御回路が更に、設定電力値に応じて開始値を決定しうるプロセッサ手段を有していることを特徴とする蛍光ランプ給電用安定器。
【請求項２】
請求項１に記載の蛍光ランプ給電用安定器において、前記電源ユニットがパルス幅変調電源ユニットであり、入力変数がパルス幅であることを特徴とする蛍光ランプ給電用安定器。
【請求項３】
請求項１又は２に記載の蛍光ランプ給電用安定器において、前記制御回路が、測定したアナログ電力値をデジタル電力値に変換しうるアナログ‐デジタル変換器であることを特徴とする蛍光ランプ給電用安定器。
【請求項４】
請求項１〜３のいずれか一項に記載の蛍光ランプ給電用安定器において、前記プロセッサ手段が、前記開始値を数学関数により決定しうるようになっていることを特徴とする蛍光ランプ給電用安定器。
【請求項５】
請求項１〜３のいずれか一項に記載の蛍光ランプ給電用安定器において、この安定器が更にメモリ手段を有し、前記プロセッサ手段は、前記開始値を前記メモリ手段に記憶された電力値及び開始値の対により決定しうるようになっていることを特徴とする蛍光ランプ給電用安定器。
【請求項６】
調光手段を用いて蛍光ランプの所望の電力値を設定し、制御回路により入力変数を開始値から最終値に調整することにより、入力変数制御電源ユニットにより蛍光ランプに供給される電力を設定し、蛍光ランプの実際の電力を少なくともほぼ設定電力値に等しくする蛍光ランプ給電方法において、
前記開始値を前記設定電力値に応じて決定することを特徴とする蛍光ランプ給電方法。
【請求項７】
請求項６に記載の蛍光ランプ給電方法において、蛍光ランプを点弧した後に前記開始値を決定することを特徴とする蛍光ランプ給電方法。
【請求項８】
請求項６又は７に記載の蛍光ランプ給電方法において、所望の設定電力値を変更した際に、開始値を決定することを特徴とする蛍光ランプ給電方法。
【発明の詳細な説明】
【０００１】
本発明は、入力変数により制御される電源ユニット、例えばパルス幅変調電源ユニットと、蛍光ランプの所望の電力値を設定する調光手段と、入力変数、例えばパルス幅を開始値から最終値に調整する制御回路とを具え、蛍光ランプの実際の電力値を少なくともほぼ設定電力値に等しくする蛍光ランプ給電用安定器に関するものである。
【０００２】
このような安定器は、国際公開パンフレットＷＯ００／２４２３２に開示されている。安定器の最も重要な機能は蛍光ランプにおける電力を安定化させることにある。この安定化を達成させるために、電源ユニットが調光手段により設定された正しい電力を、ランプを介して送るように、この電源ユニットを制御する制御回路が用いられている。この安定化は、パルス幅変調電源ユニットの場合、パルス幅を固定の開始値から、所望の電力が得られる最終値まで調整することにより達成される。これを達成するのに、制御回路が必要となる。その理由は、蛍光ランプを通して送られる実際の電力はパルス幅のみに依存するのではなく、ランプの温度や、ランプの劣化度や、電源電圧の変動や、共振回路のコイル及びキャパシタのような電力決定素子の変化等のようなその他の要因にも依存する為である。従って、パルス幅と電力との間には比例関係がない。調光手段が設けられた安定器では、積分制御原理に応じた、積分器とも称される制御回路が一般に適用されている。このような制御回路は安定化を行うという特徴を有するが、その動作は比較的ゆっくりしている。このような制御回路の通常の特徴は、例えば、パルス幅を１秒当り３０％しか調整できない点にある。
【０００３】
このような安定器に関連する問題は、不所望な光の影響が生じるおそれがあるということである。パルス幅の開始値を、例えば、通常約４５％のパルス幅で達成される最大電力値に設定し、調光手段を、例えば、１０％の低電力値に設定すると、ランプの点弧時にこのランプが最初全電力で発光し、その後制御回路がパルス幅を約１５％に減少されるように調整する。これにはある時間を要する為、たとえこれが１秒の何分の一であっても、ユーザは最初に閃光を見る。電力を調光手段により再調整する場合に、制御回路により電力の大きな差を無くす必要があると、ユーザはランプの反応がわずかに遅延されることに気づくであろう。例えば、電力を１０％から１００％に増大させる場合に、パルス幅を約１５％から約４５％に増大させると、制御回路が１秒当り最大３０％の調整を可能にする場合、この処理を完成するのに１秒を要してしまう。
【０００４】
本発明の目的は、応答時間が短く、前述した閃光の影響がかなり少ない又は完全に無くなった、調光手段を有する廉価で有効な安定器を提供することにある。
【０００５】
この目的を達成するために、制御回路は更に、設定電力値に応じて開始値を決定しうるプロセッサ手段を有するようにする。本発明によれば、開始値を固定、例えば、４５％のパルス幅とせずに、設定電力値に応じた可変の開始値を適用する。制御回路がその機能（いわゆる第一推定方法）を開始する前に、平均条件の下で所望の電力が達成されるように、例えばパルス幅の開始値を選択することにより、制御回路は例えば、温度及び劣化による影響を回避する“微調整”を実行する必要があるだけとなる。このようにすることにより、応答時間が早くなるとともに閃光が無くなる。開始値はランプの点弧後や、調光手段による所望の設定電力値の変更後にも決定しうる。
【０００６】
制御回路は、測定したアナログ電力値をデジタル電力値に変換しうるアナログ‐デジタル変換器を有するデジタル制御回路とするのが好ましい。このようなデジタルシステムでは、開始値を数学関数により決定するのにプロセッサ手段を容易に用いることができるか、又は安定器に付加的にメモリ手段を設け、プロセッサ手段が、例えば表の形態でメモリ手段内に記憶した電力値及び開始値の対により開始値を決定しうるようにするのを容易に行いうるようにしうる。
【０００７】
本発明は又、調光手段を用いて蛍光ランプの所望の電力値を設定し、制御回路により入力変数を開始値から最終値に調整することにより、入力変数制御電源ユニットにより蛍光ランプに供給される電力を設定し、蛍光ランプの実際の電力を少なくともほぼ設定電力値に等しくし、前記開始値を前記設定電力値に応じて決定する蛍光ランプ給電方法にも関するものである。
【０００８】
本発明の上述した観点及びその他の観点は以下の実施例に関する説明から明らかとなるであろう。
図１によれば、安定器１は、パルス幅変調電源ユニット２と、目標電力値Ｐｔをメモリ手段４に設定する調光器３とを有する。従来から既知であるパルス幅変調電源ユニットの場合には、パルス幅を変えることによりこの電源ユニットを制御しうる。しかし、パルス幅変調電源ユニット以外に、動作（スイッチング）周波数又は変換器の直流電源電圧のような入力変数を変えることにより電力を制御する他の種類の電源ユニットが存在し、これらの電源ユニットにも本発明の原理を適用する。更に、安定器１は制御回路を具え、この制御回路は、蛍光ランプ７の電力値Ｐｍを測定してこのアナログ信号をアナログ‐デジタル（Ａ／Ｄ）変換器により一連のデジタル値に変換するアナログ‐デジタル（Ａ／Ｄ）サンプリング装置５と、測定電力値Ｐｍを目標電力値Ｐｔと比較するプロセッサ６とを有している。測定電力値Ｐｍが調光器３により設定された目標電力値と相違する場合には、ランプ７の電力が前記の目標電力値となるまで電源ユニット２がパルス幅を徐々に変えるように、プロセッサ６がこの電源ユニット２に命令を与える。これまでは、ランプの点弧後のパルス幅を例えば、最大電力が供給される固定の開始値にとり、その後に目標電力値に到達されるまで制御回路により電力を調整するのが一般的であった。その結果、調光器３を低電力値に設定した場合には、ランプの点弧時に短時間の閃光が生じる。その理由は、ランプ７は、電力が調光電力に減少する前に全電力で発光する為である。
【０００９】
ランプの点灯中に調光器３を異なる値に設定することにより所望の電力値を変更する場合には、新たな所望電力値に達するまで制御回路が電力値を徐々に調整する。通常は、安定化効果はあるが動作が遅い積分器制御回路が用いられている為、この調整は幾分ゆっくり行われ、ユーザにとって目に感じられて目障りであり、従って、工業界で周知の最大調整時間を規定しているＤＡＬＩ標準規格を満足しない。
【００１０】
この理由で、本発明による安定器においては、パルス幅に対する固定の開始値を適用せず、その代わり、調光器３により設定された所望の電力値に応じてプロセッサ６により開始値を決定する。調光器３が低い電力値に設定された場合には、パルス幅は直接プロセッサ６により低い値に設定される。これにより、前述した閃光は生じなくなる。調光器３により他の電力値が設定された場合にも、プロセッサはパルス幅に対する新たな開始値を選択し、これにより、通常の状態の下で所望の最終値に近い電力をもたらす。前述したように、ランプの電力は、電源ユニットのパルス幅設定に依存するばかりではなく、ランプの温度及び劣化度のような外部要因や、明細書の頭書で述べた要因にも依存する。
【００１１】
図２は、平均的な条件下にあるあるランプの電力とパルス幅との一般的な関係を示す。このグラフに示す関係をプロセッサ６により用いて、調光器３が設定した電力値Ｐによるパルス幅ＰＷに対する開始値を決定する。所望の電力値Ｐが、例えば、最大電力値の５０％である場合には、このグラフから明らかなように、パルス幅ＰＷに対する開始値は０．２９に設定する必要がある。この方法は“第一推定方法”と称される。その理由は、このようにして得られた開始値は、一般に直接所望の電力値にはならずに、この所望の電力値に近い値になる為である。その後、制御回路が正確な設定を行う。
【００１２】
図２に示す関係は、電力値Ｐ及びパルス幅ＰＷに対する関連値をもって表に入れることができる。この表は、プロセッサ６によりアクセスしうるメモリ内に記憶される。この関係は数学関数で表わすこともでき、これをプロセッサ６が用いて電力値Ｐによる関連のパルス幅ＰＷを決定する。
【図面の簡単な説明】
【図１】本発明による安定器を線図的に示す。
【図２】安定器内の電源ユニットのパルス幅とランプの電力との一般的な関係を示すグラフである。
【国際公開パンフレット】
2004518258.tif 000003
2004518258.tif 000004
2004518258.tif 000005
2004518258.tif 000006
2004518258.tif 000007
2004518258.tif 000008
2004518258.tif 000009
2004518258.tif 000010
【国際調査報告】
2004518258.tif 000011
2004518258.tif 000012
2004518258.tif 000013